(57)【要約】【課題】構造が簡素で破損し難く、操作性に優れた錠止装置を得る。【解決手段】扉体Ｐの裏面側の錠止部１では、ロックレバー１ｂが筐体１ａ内において傾動自在とされ、先端部の爪部１ｄが、コイルばね１ｈにより外側に向けて付勢されている。筐体１ａには挿通口１ｉが開口され、この挿通口１ｉに向けて付勢された板ばね１ｊが配置されている。  表面側の操作部２では、ベース体２ａ内の回動可能の軸棒２ｆがハンドル部２ｄに連結されている。軸棒２ｆからＬ字状の操作レバー２ｇが突出されており、操作レバー２ｇは挿通口１ｉから筐体１ａ内に入り込み、ロックレバー１ｂの被操作部１ｇを操作する。  爪部１ｄはばね１ｈの付勢力により固定体Ｑの凹部Ｑａ内に入り込み、錠止壁Ｑｂと共働して錠止する。解錠時には、ハンドル部２ｄを回動すると、操作レバー２ｇが動いて、ロックレバー１ｂを傾動し爪部１ｄを引き込む。【選択図】図６
2019078140.tif 000002
【特許請求の範囲】
【請求項１】
可動扉体を表裏両面から挟むようにして取り付けた錠止部と操作部とから構成される引き戸用錠止装置であって、
前記錠止部は、前記可動扉体の裏面に取り付け前記可動扉体側に挿通口を有する筐体と、先端に相手側固定体に設けた錠止部に錠止する爪部を有すると共に前記筐体内に設けた軸部を中心に傾動する棒状のロックレバーと、前記筐体から突出した前記爪部を、前記筐体の外側に押し出すように付勢するための前記筐体内に配置された第１のばね部と、前記筐体の内側から前記挿通口に向けて付勢する第２のばね部とを備え、
前記操作部は、前記可動扉体の表面に取り付けられるベース体と、該ベース体に回動自在に連結されるハンドル部と、該ハンドル部の回動に連動して回動し、前記挿通口を介して前記筐体内に入り込む操作レバーとを備え、
前記操作レバーは、前記ハンドル部の回動に応じて前記ロックレバーを傾動させて、前記爪部を内側に引き戻すようにしたことを特徴とする引き戸用錠止装置。
【請求項２】
前記操作レバーはＬ字状であり、操作レバーの先端が前記ロックレバーの後端部を押し込むことで、前記ロックレバーを傾動させるようにしたことを特徴とする請求項１に記載の引き戸用錠止装置。
【請求項３】
前記第１のばね部はコイルばねとし、前記第２のばね部は板ばねとされていることを特徴とする請求項１又は２に記載の引き戸用錠止装置。
【請求項４】
前記筐体内に入り込んだ前記操作レバーの一部は、前記板ばねにより付勢されていることを特徴とする請求項３に記載の引き戸用錠止装置。
【請求項５】
前記ハンドル部は筒状であり、握り棒を挿通可能とされていることを特徴とする請求項１〜４の何れか１項に記載の引き戸用錠止装置。
【請求項６】
前記錠止部の筐体は、前記可動扉体の裏面に設けられた凹部内に配置されることを特徴とする請求項１〜５の何れか１項に記載の引き戸用錠止装置。
【請求項７】
前記爪部の裏面側を傾斜面とされていることを特徴とする請求項１〜６の何れか１項に記載の引き戸用錠止装置。
【発明の詳細な説明】
【技術分野】
【０００１】
本発明は、例えば倉庫の引き戸等に用いられる引き戸用錠止装置に関するものである。
【背景技術】
【０００２】
例えば、倉庫等の引き戸を施錠する錠止装置は多数知られており、例えば特許文献１に示す錠止装置が開示されている。この引用文献１の錠止装置は、引き戸に取り付けられる操作部と、被錠止部に錠止される錠止部をアーム端に有するラッチアームと、このラッチアームを付勢する付勢手段とを有している。
【０００３】
操作部の回動操作によって、この付勢手段の付勢に抗する方向にラッチアームを移動させるように、操作部とラッチアームとを連係させる連係部とを有している。
【先行技術文献】
【特許文献】
【０００４】
【特許文献１】特開２００４−１１１７７号公報
【発明の概要】
【発明が解決しようとする課題】
【０００５】
引用文献１の錠止装置は、組立が難しいために分解した状態での出荷ができず、錠止位置全体を引き戸である可動扉体に取り付けた状態で出荷することになる。このような場合に、引用文献１の錠止装置の付勢手段との連結部等が可動扉体から外方に突出しているため、出荷の際に嵩張ることになり、運搬に際して車体に衝突したりして破損が発生する虞れがある。
【０００６】
また使用時においても、引き戸式の倉庫に荷物の出し入れを行う作業者は、両手で荷物を保持しながら引き戸である扉体の開閉を行うことがある。この開閉作業時に、引用文献１の手で握って回動操作を必要とする操作部を操作することが難しいという問題がある。
【０００７】
本発明の目的は、上述の課題を解消し、嵩張ることなく運搬が可能であると共に、簡便な機構で破損し難く、操作性に優れた引き戸用錠止装置を提供することにある。
【課題を解決するための手段】
【０００８】
上記目的を達成するための本発明に係る引き戸用錠止装置は、可動扉体を表裏両面から挟むようにして取り付けた錠止部と操作部とから構成される引き戸用錠止装置であって、前記錠止部は、前記可動扉体の裏面に取り付け前記可動扉体側に挿通口を有する筐体と、先端に相手側固定体に設けた錠止部に錠止する爪部を有すると共に前記筐体内に設けた軸部を中心に傾動する棒状のロックレバーと、前記筐体から突出した前記爪部を、前記筐体の外側に押し出すように付勢するための前記筐体内に配置された第１のばね部と、前記筐体の内側から前記挿通口に向けて付勢する第２のばね部とを備え、前記操作部は、前記可動扉体の表面に取り付けられるベース体と、該ベース体に回動自在に連結されるハンドル部と、該ハンドル部の回動に連動して回動し、前記挿通口を介して前記筐体内に入り込む操作レバーとを備え、前記操作レバーは、前記ハンドル部の回動に応じて前記ロックレバーを傾動させて、前記爪部を内側に引き戻すようにしたことを特徴とする。
【発明の効果】
【０００９】
本発明に係る引き戸用錠止装置によれば、錠止部を取り付けた可動扉体と、操作部とを分離して出荷することができるため、出荷時に嵩張ることがない。また、錠構造が可動扉体の裏面側に配置されているので、使用中にも破損し難く、更に操作性も良好である。
【図面の簡単な説明】
【００１０】
【図１】扉体への取付状態の斜視図である。
【図２】錠止部と操作部とを分離した状態の断面図である。
【図３】操作部の側面図である。
【図４】錠止部、操作部を扉体に組付けた状態の断面図である。
【図５】扉体を閉止する状態の断面図である。
【図６】錠止状態の断面図である。
【図７】解錠時の断面図である。
【図８】解錠をし易くした爪部の断面図である。
【発明を実施するための形態】
【００１１】
本発明を図示の実施例に基づいて詳細に説明する。
図１は実施例の引き戸用錠止装置の取付状態の斜視図である。取り付けるべき倉庫等の引き戸のドットで図示する可動扉体Ｐに対し、裏面側に錠止部１、表面側に操作部２が配置されている。これらの錠止部１、操作部２は一部に使用される樹脂材を除いて、例えばアルミニウム等の金属製とされている。
【００１２】
錠止部１では、筐体１ａが可動扉体Ｐの裏面側に取り付けられ、筐体１ａの内部に可動のロックレバー１ｂが設けられ、ロックレバー１ｂの先端に傾斜面１ｃを有する爪部１ｄが外側に向けて形成されている。
【００１３】
操作部２では、ベース体２ａが可動扉体Ｐの表面側に取り付けられ、ベース体２ａに対して上下２枚の板状の連結アーム２ｂ、２ｃを介して引き手として円筒状のハンドル部２ｄが連結されている。なお、ハンドル部２ｄの長さは例えば約１００ｍｍ、径は３５ｍｍであり、このハンドル部２ｄには、一点鎖線で示す金属や硬質樹脂から成形された握り棒２ｅが必要に応じて挿通可能とされている。
【００１４】
図２は錠止部１と操作部２とを分離した状態の平面図であり、可動扉体Ｐの辺部の裏面側に凹部Ｐａが設けられ、この凹部Ｐａ内に錠止部１が配置され、この錠止部１と対応して可動扉体Ｐの表面側に操作部２が配置される。なお、錠止部１と操作部２の間の可動扉体Ｐには、後述する孔部Ｐｂやボルト挿通孔が設けられている。
【００１５】
錠止部１の筐体１ａは、可動扉体Ｐの表面側に配された取付板３により、可動扉体Ｐを挟むようにして、取付板３側から挿通された複数本のボルト４により可動扉体Ｐに固定される。また、操作部２においては、錠止部１側から挿通された複数本のボルト５によりベース体２ａが可動扉体Ｐと筐体１ａに固定される。
【００１６】
錠止部１においては、棒状のロックレバー１ｂが筐体１ａ内において、軸部１ｅを中心に傾動自在とされ、筐体１ａから開口部１ｆを介して、可動扉体Ｐと平行方向に突出され、他端の後端部は被操作部１ｇとされている。ロックレバー１ｂの爪部１ｄ側の端部には、筐体１ａ内に第１のばねであるコイルばね１ｈが配置されており、このコイルばね１ｈにより、爪部１ｄが外側に向けて付勢されている。
【００１７】
また、筐体１ａ内の可動扉体Ｐに接する一部には、可動扉体Ｐの孔部Ｐｂと連通して挿通口１ｉが開口され、この挿通口１ｉを閉塞する方向に第２のばねである板ばね１ｊが配置されている。この板ばね１ｊの一端側は、筐体１ａの取付板３との平行部分に固定され、挿通口１ｉに面する板ばね１ｊの他端側が可動とされ、筐体１ａの内側から挿通口１ｉに向けて付勢されている。
【００１８】
一方、図３に示すように操作部２においては、ベース体２ａ内に、ベース体２ａに対し回動可能に軸棒２ｆがハンドル部２ｄの軸方向と平行方向に配置され、この軸棒２ｆの両端とハンドル部２ｄの両端とが連結アーム２ｂ、２ｃを介して連結され、ハンドル部２ｄはベース体２ａに対して回動自在とされている。また、軸棒２ｆの中央部には、ハンドル部２ｄと反対側に突出するＬ字状の操作レバー２ｇが固定されており、ハンドル部２ｄの回動に連動して、操作レバー２ｇも回動する構造となっている。
【００１９】
そして、組み付け時に、操作レバー２ｇは可動扉体Ｐの孔部Ｐｂ、錠止部１の筐体１ａの挿通口１ｉから、板ばね１ｊを押し込みながら、筐体１ａ内に入り込み、ロックレバー１ｂの後端部の被操作部１ｇを操作するようになっている。
【００２０】
図４は錠止部１、操作部２、取付板３を可動扉体Ｐに、ボルト４、５を用いて組み付けた状態の断面図である。なお、ボルト４、５の図示は省略している。
【００２１】
この組み付けに際しては、工場等における第１段階として、凹部Ｐａ内に錠止部１を配置した状態で、可動扉体Ｐの表面側に取付板３を当てがい、ボルト４を取付板３側から可動扉体Ｐのボルト挿通孔、錠止部１のねじ孔にねじ込んで、取付板３を用いて可動扉体Ｐと錠止部１とを一体化する。
【００２２】
次いで、設置現場に運搬した後に可動扉体Ｐに操作部２を組み付ける。この第２段階として、操作部２を可動扉体Ｐの表面側に配置し、錠止部１からボルト５を錠止部１及び可動扉体Ｐのボルト挿通孔を挿通させて、ベース体２ａの裏面側のねじ孔にねじ込むことにより、操作部２を可動扉体Ｐに固定する。このようにして、可動扉体Ｐに引き戸用錠止装置の組み付け作業は完了する。
【００２３】
この組み付けた状態においては、ロックレバー１ｂはコイルばね１ｈにより付勢されて軸部１ｅを中心に傾動され、爪部１ｄが筐体１ａの裏板よりも外側に位置している。一方、操作部２においては、筐体１ａ内に入り込んだＬ字状の操作レバー２ｇの曲部近傍が板ばね１ｊにより付勢され、操作レバー２ｇの先端側が筐体１ａの壁面に押し付けられ、ハンドル部２ｄも板ばね１ｊの付勢力により所定の位置で停止している。
【００２４】
この可動扉体Ｐを閉止して錠止するには、開いた状態の可動扉体Ｐを相手側固定体である固定扉等の固定体Ｑに対して図４の矢印Ａ方向に動かすと、図５に示すように、ロックレバー１ｂの爪部１ｄが固定体Ｑの辺部に当接する。爪部１ｄは固定体Ｑによりコイルばね１ｈの付勢力に抗しながら押し戻され、固定体Ｑの面上を滑動しながら、固定体Ｑに設けられた凹部Ｑａに至る。
【００２５】
図６に示すように、凹部Ｑａで爪部１ｄはコイルばね１ｈの付勢力により内部に入り込み、凹部Ｑａに設けられた壁状の錠止壁Ｑｂにより錠止される。この錠止状態においては、可動扉体Ｐを逆方向に動かして可動扉体Ｐを開けようとしても、爪部１ｄが固定体Ｑの錠止壁Ｑｂに錠止して開扉できなくなる。
【００２６】
この引き戸用錠止装置を解錠するには、操作部２のハンドル部２ｄ又はハンドル部２ｄに挿通した握り棒２ｅを、図７の矢印Ｂ方向に回動する。これにより、操作レバー２ｇが板ばね１ｊの付勢力に抗して回動し、操作レバー２ｇの先端がロックレバー１ｂの被操作部１ｇを押し込む。被操作部１ｇが押し込まれることにより、ロックレバー１ｂは軸部１ｅを支点として傾動し、先端部の爪部１ｄを筐体１ａの裏板よりも内側に引き込み、爪部１ｄは固定体Ｑの錠止壁Ｑｂから外れる。
【００２７】
Ｂ方向への回動と同時に、ハンドル部２ｄ又は握り棒２ｅを可動扉体Ｐを開く方向の矢印Ｃ方向に押すと、この押す力は軸棒２ｆ、ベース体２ａを経て可動扉体Ｐに伝達され、可動扉体Ｐを矢印Ｃ方向に移動することができる。
【００２８】
ハンドル部２ｄ又は握り棒２ｅから手を離すと、操作レバー２ｇは板ばね１ｊの付勢力により押圧され、ハンドル部２ｄも図４に示す元の位置に復元し、ロックレバー１ｂもコイルばね１ｈの付勢力により図４の状態に復元する。
【００２９】
上述の実施例においては、錠止状態ではそのままハンドル部２ｄを使わずに可動扉体Ｐを開けることが困難であり、例えば倉庫内からは可動扉体Ｐを開けることが殆ど不可能である。
【００３０】
しかし図８に示すように、爪部１ｄの後端側の直角状の立設面を傾斜面１ｊとし、併せて固定体Ｑの錠止壁Ｑｂも傾斜面Ｑｃとしておくと、可動扉体Ｐを強い力で図７の矢印Ｃ方向に押すことにより、可動扉体Ｐを開けることができる。
【００３１】
つまり、爪部１ｄに可動扉体Ｐを開けようとする力が加わることにより、爪部１ｄの傾斜面１ｊは、固定体Ｑの傾斜面Ｑｃと共働してロックレバー１ｂを動かし、爪部１ｄは傾斜面Ｑｃを乗り越えて開錠するので、ハンドル部２ｄ又は握り棒２ｅを回動操作しなくとも、可動扉体Ｐは開くことになる。
【００３２】
また、本実施例に係る引き戸用錠止装置は、嵩張ることなく運搬することができる。可動扉体Ｐと錠止部１との第１段階の組み付け時と、可動扉体Ｐと操作部２との第２段階の組み付け時とを時間差において組み立て、この間に運搬を行う。
【００３３】
運搬する第１段階の組み付け時の可動扉体Ｐは、突出する部分がなく、梱包が容易で嵩張ることがなく、更に輸送時に破損し難い状態で、運搬することができる。
【００３４】
更に本実施例の引き戸用錠止装置は、操作部２を押すだけで錠止状態を解除できるので、両手が塞がっている状態であっても、肩等で容易に握り棒２ｅを押すことにより開扉することができるので、操作性にも優れている。
【符号の説明】
【００３５】
１  錠止部
１ａ  筐体
１ｂ  ロックレバー
１ｄ  爪部
１ｇ  被操作部
１ｈ  コイルばね
１ｊ  板ばね
２  操作部
２ａ  ベース体
２ｂ、２ｃ  連結アーム
２ｄ  ハンドル部
２ｆ  軸棒
２ｇ  操作レバー
３  取付板
４、５  ボルト
【図１】
2019078140.tif 000003
【図２】
2019078140.tif 000004
【図３】
2019078140.tif 000005
【図４】
2019078140.tif 000006
【図５】
2019078140.tif 000007
【図６】
2019078140.tif 000008
【図７】
2019078140.tif 000009
【図８】
2019078140.tif 000010